【手続補正書】
【提出日】平成17年5月25日(2005.5.25)
【手続補正１】
【補正対象書類名】明細書
【補正対象項目名】特許請求の範囲
【補正方法】変更
【補正の内容】
【特許請求の範囲】
【請求項１】
相対的に高倍率の光学系を有するプローブ型顕微鏡と低倍率の光学系を有する補助顕微鏡とを備える顕微鏡観察装置において、
前記プローブ型顕微鏡の光軸が、前記補助顕微鏡の視野の死角に配置されていることを特徴とする顕微鏡観察装置。
【請求項２】
請求項１記載の顕微鏡観察装置において、
前記補助顕微鏡は２つの光軸を有する実体顕微鏡であり、前記プローブ型顕微鏡の光軸が、前記２つの光軸間に配置されていることを特徴とする顕微鏡観察装置。
【請求項３】
請求項２に記載の顕微鏡観察装置において、
前記プローブ型顕微鏡の光学系を収容するプローブ本体が、前記実体顕微鏡の２つの光軸を避ける第１の支持部材で支持されていることを特徴とする顕微鏡観察装置。
【請求項４】
請求項１または２に記載の顕微鏡観察装置において、
前記プローブ型顕微鏡の光学系を収容するプローブ本体が、透明材質からなる第２の支持部材で支持されていることを特徴とする顕微鏡観察装置。
【請求項５】
補助顕微鏡と組み合わせて用いられる、該補助顕微鏡よりも視野が狭いプローブ型顕微鏡であり、
その光軸が、前記補助顕微鏡の視野の死角に配置されていることを特徴とするプローブ型顕微鏡。
【手続補正２】
【補正対象書類名】明細書
【補正対象項目名】０００７
【補正方法】変更
【補正の内容】
【０００７】
【課題を解決するための手段】
本発明は、上記課題を解決するために以下の手段を採用した。
すなわち、請求項１に記載の顕微鏡観察装置は、相対的に高倍率の光学系を有するプローブ型顕微鏡と低倍率の光学系を有する補助顕微鏡とを備える顕微鏡観察装置において、前記プローブ型顕微鏡の光軸が、前記補助顕微鏡の視野の死角に配置されていることを特徴とする。
上記請求項１に記載の顕微鏡観察装置によれば、補助顕微鏡の視野の死角内にプローブ型顕微鏡の光軸が来るように配置するので、補助顕微鏡の視野内にプローブ型顕微鏡が入り込むのを極力抑えることができるようになる。
請求項２に記載の顕微鏡観察装置は、請求項１記載の顕微鏡観察装置において、前記補助顕微鏡は２つの光軸を有する実体顕微鏡であり、前記プローブ型顕微鏡の光軸が、前記２つの光軸間に配置されていることを特徴とする。
請求項２に記載の顕微鏡観察装置は、実体顕微鏡の視野を形成する２つの光軸間に死角が形成され、この死角内にプローブ型顕微鏡の光軸が来るように配置するので、実体顕微鏡の視野内にプローブ型顕微鏡が入り込むのを極力抑えることができるようになる。
【手続補正３】
【補正対象書類名】明細書
【補正対象項目名】０００８
【補正方法】変更
【補正の内容】
【０００８】
請求項３に記載の顕微鏡観察装置は、請求項２に記載の顕微鏡観察装置において、前記プローブ型顕微鏡の光学系を収容するプローブ本体が、前記実体顕微鏡の２つの光軸を避ける第１の支持部材で支持されていることを特徴とする。
上記請求項３に記載の顕微鏡観察装置によれば、実体顕微鏡の視野に第１の支持部材が入り込むのを防ぐことができる。
【手続補正４】
【補正対象書類名】明細書
【補正対象項目名】０００９
【補正方法】変更
【補正の内容】
【０００９】
請求項４に記載の顕微鏡観察装置は、請求項１または２に記載の顕微鏡観察装置において、前記プローブ型顕微鏡の光学系を収容するプローブ本体が、透明材質からなる第２の支持部材で支持されていることを特徴とする。
上記請求項４に記載の顕微鏡観察装置及によれば、実体顕微鏡や補助顕微鏡の視野に第２の支持部材が入り込んだとしても、透明であるので視界の妨げにならない。
【手続補正５】
【補正対象書類名】明細書
【補正対象項目名】００１０
【補正方法】変更
【補正の内容】
【００１０】
請求項５に記載のプローブ型顕微鏡は、補助顕微鏡と組み合わせて用いられる、該補助顕微鏡よりも視野が狭いプローブ型顕微鏡であり、その光軸が、前記補助顕微鏡の視野の死角に配置されていることを特徴とする。
上記請求項５に記載のプローブ型顕微鏡によれば、補助顕微鏡の視野の死角に、プローブ型顕微鏡の光軸が来るように配置されるので、補助顕微鏡の視野内にプローブ型顕微鏡が入り込むのを極力抑えることができるようになる。
【手続補正６】
【補正対象書類名】明細書
【補正対象項目名】００３５
【補正方法】変更
【補正の内容】
【００３５】
なお、上記第１実施形態及び第２実施形態では、本発明のプローブ型顕微鏡１０と組み合わされる低倍率顕微鏡が実体顕微鏡２０である場合を例に説明したが、代わりにビデオマイクロスコープを採用することも可能である。この場合、図６（ａ）に示すように、プローブ１２の光軸は、ビデオマイクロスコープの光軸とほぼ一致するように保持される。したがって、ビデオマイクロスコープの視野は図６（ｂ）に示すようになり、プローブ１２が中央に写り込む。しかしながら、同図に示すようにプローブ１２のビデオマイクロスコープの視野内における大きさを最小に止めることが可能となっている。
また、この場合には、水平アーム５５（水平アーム１５ａ）も視野内に入り込んでしまうが、平面視した場合の厚み寸法を最小化したり、または、ガラス板などの透明部材でプローブ１２を支持するようにすることで、支持部材の写りこみを最小化または皆無とすることが可能となる。
【手続補正７】
【補正対象書類名】明細書
【補正対象項目名】００４８
【補正方法】変更
【補正の内容】
【００４８】
【発明の効果】
本発明の請求項１に記載の顕微鏡観察装置は、プローブ型顕微鏡の光軸を、補助顕微鏡の視野の死角に配置される構成を採用した。この構成によれば、プローブ型顕微鏡が、補助顕微鏡の死角に入り込むようになる。したがって、補助顕微鏡の視野が遮られるのを極力抑えて良好な視野を確保することが可能となる。
また、請求項２に記載の顕微鏡観察装置は、プローブ型顕微鏡の光軸を、実体顕微鏡の２つの光軸間に配置される構成を採用した。この構成によれば、プローブ型顕微鏡が、実体顕微鏡の２つの光軸間に配置されることとなる。したがって、実体顕微鏡の視野が遮られるのを極力抑えて良好な視野を確保することが可能となる。
【手続補正８】
【補正対象書類名】明細書
【補正対象項目名】００４９
【補正方法】変更
【補正の内容】
【００４９】
また、請求項３に記載の顕微鏡観察装置は、プローブ本体を、実体顕微鏡の２つの光軸を避ける第１の支持部材で支持する構成を採用した。この構成によれば、実体顕微鏡の視野に第１の支持部材が入り込むのを防ぐことができるので、実体顕微鏡の視野をより良好なものとすることが可能となる。
【手続補正９】
【補正対象書類名】明細書
【補正対象項目名】００５０
【補正方法】変更
【補正の内容】
【００５０】
また、請求項４に記載の顕微鏡観察装置は、プローブ本体を、透明材質からなる第２の支持部材で支持する構成を採用した。この構成によれば、実体顕微鏡や補助顕微鏡の視野に第２の支持部材が入り込んだとしても視界の妨げにならないため、実体顕微鏡や補助顕微鏡の視野をより良好なものとすることが可能となる。
【手続補正１０】
【補正対象書類名】明細書
【補正対象項目名】００５１
【補正方法】変更
【補正の内容】
【００５１】
本発明の請求項５に記載のプローブ型顕微鏡は、その光軸が、補助顕微鏡の視野の死角に配置されている構成を採用した。この構成によれば、プローブ型顕微鏡が、補助顕微鏡の死角に入り込むようになる。したがって、補助顕微鏡の視野が遮られるのを極力抑えて良好な視野を確保することが可能となる。